(57)【要約】【課題】専用センタ設備や宅内通信回線工事を必要とせず、簡単、低コスト、短期間にシステムを導入でき、また、利用者はどこにいても、測定状況や異常状態の把握、状況に応じた適切、迅速な対処をとることができるようにする。【解決手段】センサ出力異常時、端末装置３−１は無線パケットデータ網４へＰＰＰ接続され、契約ＩＳＰ６のメールサーバ７−１へ接続されて電子メールを送信し、また、予め定められた時刻に一定期間分の収集データをファイル化しサーバ７のエリアへ転送する。契約ＩＳＰ６が提供する端末装置３−１のホームページ用サーバのエリアには予めＣＧＩプログラムが置かれ、端末装置３−１からのファイルの転送は、ＣＧＩプログラムによる処理とは分離され、ＣＧＩプログラムは、ホームページへのアクセスユーザのグラフ表示やダウンロードを含む要求に対し、端末装置から転送されたファイルを基に動的に応答する。【選択図】    図１
2004341776.tif 000002
【特許請求の範囲】
【請求項１】
監視部位に設置されたセンサが出力するデータを収集するデータ収集機能と、収集したデータの内容を解析し異常を判定する異常判定機能と、無線パケットデータ網へＰＰＰ接続してインターネットへアクセスする通信制御機能とを有する端末装置を備え、
前記異常判定機能により異常が判定された時には、前記端末装置は前記無線パケットデータ網へＰＰＰ接続され、契約ＩＳＰの提供するメールサーバへ接続されて異常報知の電子メールを送信し、また、予め定められた時刻に、前記データ収集機能により収集された一定期間分のデータをファイル化して前記契約ＩＳＰが前記端末装置のホームページ用として提供するサーバのエリアへ転送し、該ファイルを前記サーバ上に保存させ、
前記契約ＩＳＰが提供する前記端末装置のホームページ用サーバのエリアには、前記ファイルとは別に、ＩＳＰ契約時に予め、もしくは前記端末装置の最初の通信時にＣＧＩプログラムが転送され、
前記端末装置からのファイルの転送は、前記ＣＧＩプログラムによる処理とは分離されたものであり、前記ＣＧＩプログラムは、ホームページへのアクセスユーザに対し、前記端末装置から転送されたファイルを基にして、グラフ表示やダウンロードを含む要求に動的に応答する機能を実現するものであることを特徴とする遠隔データ収録および制御装置。
【請求項２】
前記端末装置は、携帯電話やＰＨＳ事業者が提供する、インターネットを経由する電子メールとは別に、移動機からのショートメッセージを受信可能であり、受信したショートメッセージの内容に従い、指定された機器をリアルタイムに制御、あるいは収集したデータを含む電子メールの返信を行うことを特徴とする請求項１に記載の遠隔データ収録および制御装置。
【請求項３】
前記端末装置は、前記センサが出力するデータを入力するセンサインタフェース部を備え、該センサインタフェース部は、ユニットとして構成されて差し替え可能で、入力チャンネルと出力制御チャンネルとを含むユニットが複数種用意されており、前記ユニットを差し替えることにより、種類とレベル範囲が異なるデータの入力、さらには出力の制御が可能であることを特徴とする請求項１または２に記載の遠隔データ収録および制御装置。
【請求項４】
前記端末装置の異常判定機能における異常判定の条件として、上限または下限の閾値および、その値の超過継続時間を任意にかつ段階的に設定可能であり、これにより、前記端末装置は、異常の兆候がみられた時点で予知警報の電子メールをユーザに送信することが可能であることを特徴とする請求項１ないし３のいずれかに記載の遠隔データ収録および制御装置。
【発明の詳細な説明】
【０００１】
【発明の属する技術分野】
本発明は、遠隔データ収録および制御装置に関し、特に、無線パケットデータ網（以下、無線パケット網と記す。）を利用することにより、通信回線の宅内工事を必要とせず、また、契約ＩＳＰ（インターネットサービスプロバイダ）が提供するサーバ群を利用することにより、専用のセンタ設備も必要とせずに、遠隔において監視データを収録でき、さらに、異常時に遠隔から異常回避の制御などを行うことができるシステムを、ユーザが端末装置単体を用意するだけで実現することができる遠隔データ収録および制御装置に関する。
【０００２】
【従来の技術】
従来の遠隔データ収録システムは、監視部位に設置されたセンサを含む端末装置と、この端末装置に１対１またはｎ対１対応に設けられた専用のセンタ設備とを含み、これらが協調して動作するように構成されている。端末装置で収集されたデータは、電話回線やＬＡＮなどの通信回線を介してセンタ設備に伝送され、センタ設備のデータベースに収録されて全ての端末装置の収集データが一元的に保管・管理される。ユーザは、センタ設備にインターネットを介してアクセスし、特定の端末装置や年月日などを指定し、データベースから所望のデータを検索して閲覧したり、ダウンロードしたりすることができる。
【０００３】
専用のセンタ設備を設けることなく、契約ＩＳＰが提供するサーバを利用する遠隔監視装置も、特開２００３−２３５００号公報に記載されている。これでは、保守端末の監視制御部において送信メッセージおよびＨＴＭＬファイルを作成し、作成したＨＴＭＬファイルを契約プロバイダのサーバに送信してホームページの更新を行う。ユーザは、携帯端末や固定端末を用いて、監視情報を電子メールとして受信することができるとともに、監視情報のホームページにアクセスすることにより監視情報を確認することができる。
【０００４】
【発明が解決しようとする課題】
しかしながら、専用のセンタ設備を備えた従来の遠隔データ収録システムは、システムの導入には多大のコストがかかり、また、その維持管理や運用にかかるコストも大きい。このため、特に、個人や小規模の店舗等における食品の衛生管理を目的とした温湿度測定、高圧受変電設備の漏電流監視、ハウス栽培などにおけるハウス内環境の監視や空調制御などを遠隔地から行うことにより労力を削減しながらも管理を向上させたいという要求が多いなか、センタ設備や通信回線の導入、システムの維持管理や運用にかかるコストを考えると、導入に踏み切れないのが実情である。
【０００５】
また、監視部位からの監視データを解析することにより異常状態を把握できたとしても、異常通報があってからでは手遅れといったリスクもあり、これを回避するために、異常の兆候が予見された段階での予知警報や、予知の段階における事前対処が行えるシステムを導入し、万一に備えたいという要求も多い。
【０００６】
さらに、異常検知時には異常部位を制御して異常状態を早急に回避し得るような機能が望まれ、この遠隔制御を電子メールを使用して行う方法が考えられるが、この方法では、端末装置側から着信メールの有無を定期的にメールサーバへ確認する必要があり、不要なメールの受信や単にメール着信の有無を確認するだけでパケット通信費用がかかってしまうなど、パケット網を介して行う制御としては不向きであるとともに、リアルタイム制御ができないという問題がある。
【０００７】
前記特開２００３−２３５００号公報に記載されている、契約プロバイダが提供するサーバを使用する遠隔監視装置は、監視データを含むＨＴＭＬファイルを端末装置自身で作成し、これをサーバに送信してホームページの更新を行うものであるため、ホームページ上に表示できるデータは、更新されたＨＴＭＬファイルに含まれる監視状態や警報履歴といった静的かつ少量のデータのみであり、監視データをグラフ表示したりダウンロードしたりするといったようなアクセスユーザの要求に動的に応えることができない。また、制御機能を持たないことから、異常検知時には異常状態回避のためにユーザが監視部位までわざわざ出向かなければならない。
【０００８】
従って、導入に際しての多大なコストや面倒な工事がなく、維持管理や運用のコストも小さく、また、ユーザがいつでも過去の測定データや記録を確認でき、さらに、緊急を報知する電子メールの送信先を携帯電話機などに設定しておくことにより、いつどこにいても、その旨を迅速に把握できるとともに、遠隔地から状況に応じた適切な対処（制御）をリアルタイムに行うことができるシステムの実現が望まれる。
【０００９】
本発明は、上記の点にかんがみなされたものであり、専用のセンタ設備や宅内における通信回線の工事を必要とせず、簡単、低コストかつ、短期間にシステムを導入することができ、また、ユーザはどこにいても、測定状況や異常状態の把握、さらに、状況に応じた適切かつ迅速な対処をとることができる遠隔データ収録・制御システムを提供することを目的としている。
【００１０】
【課題を解決するための手段】
本発明は、監視部位に設置されたセンサが出力するデータを収集するデータ収集機能と、収集したデータの内容を解析し異常を判定する異常判定機能と、無線パケットデータ網へＰＰＰ接続してインターネットへアクセスする通信制御機能とを有する端末装置を備え、前記異常判定機能により異常が判定された時には、前記端末装置は前記無線パケットデータ網へＰＰＰ接続され、契約ＩＳＰの提供するメールサーバへ接続されて異常報知の電子メールを送信し、また、予め定められた時刻に、前記データ収集機能により収集された一定期間分のデータをファイル化して前記契約ＩＳＰが前記端末装置のホームページ用として提供するサーバのエリアへ転送し、該ファイルを前記サーバ上に保存させ、前記契約ＩＳＰが提供する前記端末装置のホームページ用サーバのエリアには、前記ファイルとは別に、ＩＳＰ契約時に予め、もしくは前記端末装置の最初の通信時にＣＧＩプログラムが転送され、前記端末装置からのファイルの転送は、前記ＣＧＩプログラムによる処理とは分離されたものであり、前記ＣＧＩプログラムは、ホームページへのアクセスユーザに対し、前記端末装置から転送されたファイルを基にして、グラフ表示やダウンロードを含む要求に動的に応答する機能を実現するものである点に第１の特徴がある。
【００１１】
また、本発明は、前記端末装置は、携帯電話やＰＨＳ事業者が提供する、インターネットを経由する電子メールとは別に、移動機からのショートメッセージを受信可能であり、受信したショートメッセージの内容に従い、指定された機器をリアルタイムに制御、あるいは収集したデータを含む電子メールの返信を行う点に第２の特徴がある。
【００１２】
また、本発明は、前記端末装置は、前記センサが出力するデータを入力するセンサインタフェース部を備え、該センサインタフェース部は、ユニットとして構成されて差し替え可能で、入力チャンネルと出力制御チャンネルとを含むユニットが複数種用意されており、前記ユニットを差し替えることにより、種類とレベル範囲が異なるデータの入力、さらには出力の制御が可能である点に第３の特徴がある。
【００１３】
さらに、本発明は、前記端末装置の異常判定機能における異常判定の条件として、上限または下限の閾値および、その値の超過継続時間を任意にかつ段階的に設定可能であり、これにより、前記端末装置は、異常の兆候がみられた時点で予知警報の電子メールをユーザに送信することが可能である点に第４の特徴がある。
【００１４】
本発明の第１の特徴によれば、契約ＩＳＰを利用して遠隔データの収録および制御を行うので、専用のセンタ設備や宅内における通信回線の工事を必要とせず、ユーザは端末装置を用意するのみで、簡単、低コストかつ、短期間にシステムを導入することができ、また、ユーザはどこにいても、測定状況や異常状態の把握、さらに、状況に応じた適切かつ迅速な対処をとることができる。
【００１５】
また、契約ＩＳＰが提供する端末装置のホームページ用サーバのエリアに転送されたＣＧＩプログラムは、ホームページへのアクセスユーザに対し、端末装置から転送されたファイルを基にして、グラフ表示やダウンロードを含む要求に動的に応答するので、アクセスユーザが所望する種々の要求に応えることができるようになる。
【００１６】
また、第２の特徴によれば、移動機から受信したショートメッセージの内容に従い、指定された機器をリアルタイムに制御、あるいは収集したデータを含む電子メールの返信を行うので、異常検知時には異常部位を制御して異常状態を回避するなど、状況に応じた適切かつ迅速な対処をとることができる。また、監視部位の状況を適宜リアルタイムで把握することができる。
【００１７】
また、第３の特徴によれば、ユニットとして構成したセンサインタフェース部を差し替えることにより、端末装置を各種データの収録、各種機器の制御に適用させることができる。
【００１８】
さらに、第４の特徴によれば、異常の兆候がみられた時点で予知警報の電子メールをユーザに送信するように、異常判定の条件を設定することができ、また、監視対象や監視部位に適合するように各設定値をセットすることにより、端末装置を用途別に設計する必要がなくなるので、低コスト化を図ることができる。
【００１９】
【発明の実施の形態】
以下、食品店舗における温度監視および、データの収録および制御の例を用い、図面を参照して本発明を詳細に説明する。図１は、本発明に係る遠隔データ収録および制御装置の一実施形態を模式的に示すブロック構成図である。本実施形態は、店舗１（１−１，１−２，…）における監視対象の設備２（２−１，２−２，…）、例えば冷蔵庫内の温度測定、店舗内の環境および、停電を監視する場合の例である。
【００２０】
各店舗１における設備２には端末装置３（３−１，３−２，…）が設置される。端末装置３は、監視部位に設置された温度センサを有し、冷蔵庫や店舗内の温度データを収集し一時的に蓄積するデータ収集機能と、収集したデータの内容を解析し異常を判定する異常判定機能と、無線パケット網４へＰＰＰ接続を行ってインターネット５に接続されているＩＳＰ６が提供するサーバ７へアクセスする通信制御機能とを有し、装置内部には、携帯電話と同様の無線パケット通信を可能にする通信端末（モジュール）を搭載する。なお、ＰＰＰ（ｐｏｉｎｔ  ｔｏ  ｐｏｉｎｔ  ｐｒｏｔｏｃｏｌ）は、２点間を接続してデータ通信を行う場合に利用されるプロトコルである。
【００２１】
ＩＳＰ６が提供するサーバ７は、メールサーバ７−１、ホームページサーバ７−２、時刻サーバ７−３を含むサーバ群である。ユーザは、インターネット５に接続可能な固定端末（パソコン）８や移動端末９により、異常報知の電子メールを受信したり、また、ホームページサーバ７−２にアクセスすることで、収録データを閲覧したりすることができる。
【００２２】
図２は、端末装置３の一例を示すブロック図である。端末装置３は、各監視部位に設置された温度センサ２０１（２０１−１，２０１−２、２０１−３，・・・）、温度センサ２０１の出力するアナログデータを取得しデジタル変換するセンサインタフェース部２０２、制御プログラムに従って装置全体の制御を実行する主制御部２０３、アンテナが接続される無線通信ユニット（モジュール）２０４および、これらの各部に必要な電源を供給する電源制御部２０５を備える。なお、停電時には、端末装置３から停電を知らせる電子メールが送信されるとともに、端末装置３の収集データが損なわれないように、電源制御部２０５はバッテリ電源を搭載しており、これにより停電時においても一定時間のバックアップ動作が可能となっている。
【００２３】
以下に図２の各部の主要な機能および動作を説明する。
センサインタフェース部２０２
センサインタフェース部２０２は、温度センサ２０１が出力するアナログデータを取り込み、デジタルデータに変換した後、主制御部２０３に渡す。センサインタフェース部２０２は、端末装置筐体に対し差し替え可能なユニットとして構成されており、ユニットの種類ごとに入出力チャンネルの数や各チャンネルの形態（例えば、入出力の任意の組み合わせで１２チャンネル）が異なっている。このユニットを差し替えることにより、高圧受変電設備の漏電監視など、温度以外の各種アナログデータの入力や、また、その入力レベル範囲、さらには接点オン／オフ情報などのデジタルデータをも取り込むことができるようになっている。
【００２４】
また、入力チャンネルと組み合わせた接点の出力制御チャンネルを有するユニットを用いることにより、１台の端末装置で複数の監視対象物を同時に監視、制御することができる。主制御部２０３が各チャンネルに対応した処理を実行するのはもちろんである。
【００２５】
電源制御部２０５
電源制御部２０５は、商用のＡＣ１００Ｖ電源から、センサインタフェース部２０２、主制御部２０３および無線通信ユニット２０４に必要な電圧を生成して供給するとともに、ＡＣ１００Ｖの入力状態（停電）を監視する。停電発生時には、搭載するバッテリ電源からの電源供給に自動的に切り替わると同時に、停電発生を示す停電データを主制御部２０３に送る。
【００２６】
主制御部２０３
主制御部２０３は、制御プログラムや動作パラメータを格納したフラッシュＲＯＭ、ワークエリアやバッファなどとして使用されるＲＡＭ、フラッシュＲＯＭに格納された制御プログラムや動作パラメータに従って端末装置全体の制御、通信に際してデータ処理や制御などを実行するＣＰＵ、パソコンを使用して動作パラメータの設定や各種ステータス等の読出しを行う保守コンソールポートなどから成る。主制御部２０３の主な動作は以下のとおりである。
【００２７】
１．停電の検出
電源制御部２０５からの停電データを一定周期（例えば２秒間隔）で取り込み、一定時間以上の停電状態の継続が検出された場合に、停電発生と判断する。停電発生時には、停電発生時刻等を記載した電子メールを作成し、契約ＩＳＰ６のメールサーバ６−１に接続して、予め登録されている宛先へ電子メールを送信するとともに、ホームページサーバ６−２に接続し、そこに収録されている停電発生の履歴情報を更新する。なお、電子メールは、複数の宛先に送信することもできる。
【００２８】
２．センサ警報（温度異常）の検出
センサインタフェース部２０２を介して入力される温度データを一定のサンプリング周期（例えば２秒間隔）で取り込み、一定時間以上の異常状態の継続が検出された場合に、温度異常と判断する。温度異常時には、異常発生時刻、異常内容（測定データ）等を記載した電子メールを作成し、契約ＩＳＰ６のメールサーバ６−１に接続して、予め登録されている宛先へ電子メールを送信するとともに、ホームページサーバ６−２に接続し、そこに収録されている温度異常発生の履歴情報を更新する。なお、電子メールは、複数の宛先に送信することもできる。
【００２９】
異常検出の条件は、上限または下限の閾値（レベル）および、その値の超過継続時間を任意に、かつ段階的に設定することができ、警報に至る前段階のレベルを注意予知として設定・使用すれば、予知警報の電子メールを送信することも可能である。
【００３０】
図３は、異常検出の条件の一例の説明図であり、測定データに対して上限設定値１、上限設定値２、下限設定値１、下限設定値２を設定して正常域、注意域、警告域に分割した例である。
【００３１】
ここで、測定データが上限設定値１を超えた時点ａ、上限設定値２を超えた時点ｂ、下限設定値１を超えた時点ｃ、下限設定値２を超えた時点ｄ、上限設定値１を超えている状態が一定時間ｔ１継続した時点ｅ、下限設定値１を超えている状態が一定時間ｔ２継続した時点ｆでそれぞれ異常を知らせる電子メールを送信可能な機能を端末装置に持たせておく。また、測定データが正常域に戻った時点ｇ、ｈで復旧の電子メールを送信可能な機能を持たせておく。
【００３２】
使用に際しては、監視対象や監視部位に適合するように各設定値（上限設定値１，２、下限設定値１，２）をセットし、また、上記時点ａ〜ｈのうち緊急通報を必要としない時点での緊急通報メールの送信機能をマスクする。これにより、例えば冷蔵庫内温度監視用、冷凍庫内温度監視用、その他の監視用に拘わらず端末装置のハード構成や制御プログラムを共通化でき、端末装置を用途別に設計する必要がなくなるので、低コスト化を図ることができる。
【００３３】
３．測定データのアップロード
センサインタフェース部２０２からの温度データを一定間隔（例えば３０分間隔）で取り込み、一定期間、例えば２４時間分の測定データを集計してデータファイルを作成する。予め定められた時刻に契約ＩＳＰ６のホームページサーバ６−２へ接続し、データファイルをアップロードする。なお、アップロードに際しては、固定有限の容量（例えば、５ＭＢ）のホームページエリアを永続的に使用可能なように、一定期間以前（例えば１年前）のデータファイルを削除し、新たなデータファイルをアップロードする。
【００３４】
ＩＳＰ契約時に開設された端末装置用のホームページエリアには、事前にもしくは端末装置３の最初の通信時にＣＧＩ（ｃｏｍｍｏｎ  ｇａｔｅｗａｙ  ｉｎｔｅｒｆａｃｅ）プログラムが転送されて格納される。端末装置３が行う定常のアップロード、すなわち、端末装置３からの測定データファイルの送信は、ＣＧＩプログラムによる処理とは分離され、独自に行われる。
【００３５】
また、ＣＧＩプログラムは、ホームページへのアクセスユーザからのグラフ表示やダウンロードを含む要求に対し、端末装置３から転送されたファイルを連携させて、動的に対処する機能を実現する。このＣＧＩプログラムが、端末装置３からのデータを加工したり、端末装置３からのデータに基づいて新しい集計データを生成したりして、ホームページの画面を、動的・対話的に生成してユーザへ提供することができる。
【００３６】
４．ユーザによる測定データの閲覧およびダウンロード
ユーザはいつでも必要なときに、端末装置用に開設されているホームページへアクセスすることにより、測定データを閲覧することができる。以下に、ＣＧＩプログラムがアクセスユーザに対し提供するホームページの画面の一例を説明する。
【００３７】
ユーザからのアクセス時には、ＣＧＩプログラムが応答し、初めにＩＤとパスワードの入力を勧誘する。ＩＤ、パスワードの認証に成功すると、メイン画面が表示され、測定データを閲覧したりダウンロードしたりするといったことが可能となる。
【００３８】
ＣＧＩプログラムは、はじめに年月を選択できるメイン画面を表示し、ユーザに年月および確認したい作業（警報履歴、データ閲覧、ダウンロードなど）を選択させる。ユーザが警報履歴を選択時には、該年月に発生した停電やセンサ警報の履歴をリスト表示する。ユーザがデータ閲覧を選択時には、次画面にて日付指定を勧誘し、ユーザが日付を選択すると、ＣＧＩプログラムは該年月日のデータファイルから測定データをグラフ化して画面に出力表示する。このグラフ表示の元データとなるファイルは、端末装置３が定常処理でアップロードするデータファイルである。また、ユーザがダウンロードを選択時には、該年月の各日単位のデータファイルをＣＧＩプログラムが１つのファイルに統合し、月単位でのダウンロードが可能となる。なお、以上の画面表示を伴う動作はＣＧＩプログラムの一例にすぎない。
【００３９】
５．遠隔制御
端末装置３は、移動端末９から受信したショートメッセージの内容に従い自己に接続されている機器に制御信号を出力する機能を有する。この機能により、緊急時などに端末装置３を介して任意の機器をリアルタイムに遠隔制御することができる。また、移動端末９からのショートメッセージの受信を契機として電子メールを任意の返信先に送信する機能を有し、この機能により、固定端末８や移動端末９において端末装置３の収集データや監視状態をリアルタイムに確認することができる。
【００４０】
遠隔制御は、制御チャンネルを有するセンサインタフェース部２０２を用いた場合に可能となり、所望のチャンネル状態を記載（例えばオン、オフなどを１、０で記載）したショートメッセージを端末装置３に送信し、端末装置３のＣＰＵでショートメッセージの内容を解読し、解読結果に応じて制御チャンネルに制御信号を出力させることにより実現できる。
【００４１】
また、制御と同様に端末装置３に対し、状態確認と返信先を記載したショートメッセージを送信し、端末装置３のＣＰＵでショートメッセージの内容を解読し、解読結果に応じてその時点の状態情報を読み出し、その状態情報を本文に付加した電子メールを応答として返信することにより、固定端末８や移動端末９において端末装置３の状態情報をリアルタイムに取得することも可能である。
【００４２】
以下、店舗１における、遠隔データ収録および制御装置の導入からの動作を具体的に説明する。まず、準備段階として、ユーザはＩＳＰ６と契約して、端末装置３のホームページ用サーバエリア（例えば５ＭＢ）や、メールサーバのアドレスなどを取得する。なお、このとき、ＩＳＰ６より提供を受けるホームページのＵＲＬは、契約ＩＳＰにもよるが、例えばｈｔｔｐ：／／ｗｗｗ．ｘｘ．ａｂｃｄ．ｎｅ．ｊｐ／〜ｙｙｙとなり、このうち、ｙｙｙはユーザがＩＳＰ契約時に自店舗名や店舗番号などとして自由に希望できる部分となる。このＵＲＬは、端末装置３のホームページ用アドレスであり、したがって、ＩＳＰ６からみれば、端末装置３は、それぞれ個々のユーザである。
【００４３】
次に、店舗１の設備２に端末装置３を設置する。端末装置３の設置に際しては、パソコンを使用し、測定対象とセンサチャンネルとの対応関係、各センサチャンネルの警報条件、緊急通報先の電子メールアドレスやＩＳＰメールサーバのアドレス、ホームページサーバのアドレスおよびログインＩＤとパスワードなど本端末装置３の動作に必要な各種パラメータを設定する。設定されたパラメータは、主制御部のフラッシュＲＯＭ内に保存／記憶され、以後、端末装置３は保存／記憶されたパラメータに従って動作する。
【００４４】
次に端末装置３の最初の電源投入時から動作について、図４を参照して説明する。
端末装置３が起動すると、まず始めに時刻情報を取得する。時刻情報は、ＩＳＰ６が提供している時刻サーバ（ＳＮＴＰサーバ）７−３もしくは、インターネット５上に公開されている公共の時刻サーバから取得する。なお、時刻取得は起動の都度行うが、一旦動作を開始した後は、定期的（例えば１０日周期）に時刻サーバにアクセスし、時刻ズレの補正を行う。また、最初の起動時には１回のみ、ホームページ用サーバエリアへＣＧＩプログラムを転送し格納する。起動時に必要な処理の実行後は、通常の計測動作に移る。
【００４５】
センサインタフェース部２０２は、冷蔵庫内の測定部位に取り付けられた温度センサ２０１からのアナログデータを取り込み、デジタルデータに変換した後、主制御部２０３に渡す。主制御部２０３は、センサインタフェース部２０２からの温度データを一定のサンプリング周期（例えば２秒）で取り込み、その後１０分〜６０分間隔（ユーザにより可変設定ができる）で最大値／平均値／最小値の集計を行い、一時的に装置内のＲＡＭエリアに蓄える。また、主制御部２０３は、この１０分〜６０分間隔で集計したデータを、毎日、予め定められた時刻に、デイリーデータとして１日分のデータファイルにまとめる。無線通信ユニット２０４は、無線パケット網を介してホームページサーバ７−２にアクセスし、所定のエリアにデータファイルを転送する（図４（１）、（１′））。
【００４６】
一方、ユーザは、固定端末８や移動端末９から端末装置用のホームページへアクセスして収集データを検索することにより、所望の測定データを閲覧することができる。また、測定データを適宜ダウンロードすることもできる。ユーザからのアクセス時（図４（２））には、ＣＧＩプログラムが応答し、初めにＩＤとパスワードの入力を勧誘する。ＩＤ、パスワードの認証に成功すると、メイン画面が表示され測定データの閲覧やダウンロード（図４（３））など様々な機能が利用可能となる。
【００４７】
次に、警報発出時の動作について説明する。
主制御部２０３において、センサインタフェース部２０２からの温度データを一定のサンプリング周期で取り込んだ後、予め設定された  閾値条件との比較を行う。比較の結果、一定時間以上異常と判断された場合には、異常発生時刻、異常内容（測定データ）等を記載した電子メールを作成し、契約ＩＳＰのメールサーバに接続して、電子メールを送信するとともに、ホームページサーバに接続して異常発生の履歴情報を更新する（図４（４））。メールサーバ７−１は、端末から受信した電子メールの宛先へ電子メールを転送する（図４（５））。なお、電子メールの宛先は、店舗のオーナーや本社の衛生管理部門さらには、冷蔵庫の保守契約業者など、複数のユーザ端末を登録しておくことができる。
【００４８】
緊急通報としての電子メールを受信したユーザは、移動端末９より端末装置３へショートメッセージを送信する（図４（６））ことにより、端末装置３を介して任意の装置を制御することができる。また、移動端末９より端末装置３へショートメッセージを送信する（図４（７））ことにより、端末装置３から現時点での収集データを取得し（図４（８））、データ内容や監視状態をリアルタイムに確認することができる。すなわち、ショートメッセージに所望のチャンネル状態（オン、オフなど）を記載して送信すれば、任意の装置を遠隔から制御することができ、また、ショートメッセージに端末装置３の状態確認と返信先とを記載して送信すれば、端末装置３からその収集データや監視状態情報が電子メールで返送されて、時々刻々と変化する状況をリアルタイムに確認できる。もちろん、機器の制御とデータ内容や監視状態の確認とを同時に行うことも可能である。
【００４９】
以上、実施形態について説明したが、本発明において収集するデータは、温度以外の湿度、電圧、電流、圧力、振動などのアナログデータや接点オン／オフデータとすることもでき、これは、前記のように、ユニットとして構成したセンサインタフェース部を差し替えることにより容易に実現できる。また、出力制御チャンネルを介して制御する対象も監視対象に応じた種々のものとすることができ、例えば各種接点やモータの回転制御などとすることができる。
【００５０】
【発明の効果】
以上に詳細を説明したように、本発明によれば、契約ＩＳＰを利用して遠隔データの収録および制御を行うので、専用のセンタ設備や宅内における通信回線の工事を必要とせず、ユーザは端末装置を用意するのみで、簡単、低コストかつ、短期間にシステムを導入することができ、また、ユーザはどこにいても、測定状況や異常状態の把握、さらに、状況に応じた適切かつ迅速な対処をとることができる。
【００５１】
また、サーバに転送したＣＧＩプログラムが、ホームページへのアクセスユーザに対し、端末装置から転送されたファイルを基にしてグラフ表示やダウンロードを含む種々の要求に動的に応えることができるようになる。
【００５２】
また、移動機からのショートメッセージを送信することにより、異常検知時に異常部位を制御して異常状態を回避するなど、状況に応じた適切かつ迅速な対処をとることができる。また、監視部位の状況を適宜リアルタイムで把握することができる。
【００５３】
また、ユニットとして構成したセンサインタフェース部を差し替えることにより、端末装置を各種データの収録、各種機器の制御に適用させることができ、さらに、異常判定条件の設定により、異常の兆候がみられた時点で予知警報の電子メールを送信させることができ、また、端末装置を監視対象や監視部位に適合させることができる。
【図面の簡単な説明】
【図１】本発明に係る遠隔データ収録および制御装置の一実施形態を模式的に示すブロック構成図である。
【図２】端末装置の一例を示すブロック図である。
【図３】異常検出条件の一例の説明図である。
【図４】本発明の動作の一例を示すフロー図である。
【符号の説明】
１−１，１−２・・・店舗、２−１，２−２・・監視対象設備、３−１，３−２・・・端末装置、４・・・無線パケット網、５・・・インターネット、６・・・ＩＳＰ、７・・・サーバ、７−１・・・メールサーバ、７−２・・・ホームページサーバ、７−３・・・時刻サーバ、８・・・固定端末、９・・・移動端末、２０１−１〜２０１−３・・・温度センサ、２０２・・・センサインタフェース部、２０３・・・主制御部、２０４・・・無線通信ユニット、２０５・・・電源制御部
【図１】
2004341776.tif 000003
【図２】
2004341776.tif 000004
【図３】
2004341776.tif 000005
【図４】
2004341776.tif 000006